(57)【要約】【課題】セキュリティ性を向上させることができる入退室管理システムを提供する。【解決手段】入退室管理システムにおいて、入退室管理区画の出入口の扉に対応して設けられた子機と、子機に設けられ、子機を操作する利用者が、当該子機に対応する扉の通行権限を有する者であるか否かを認証する子機認証手段と、子機と通信可能に設けられ、子機からの呼び出しに応じ、当該呼び出しのあった子機に対応する扉を解錠するための解錠操作手段を有する親機と、親機に設けられ、親機を操作する応対者が、呼び出しのあった子機に対応する扉の前記通行権限を有する者であるか否かを認証する親機認証手段と、を備え、解錠操作手段は、親機認証手段により応対者が呼び出しのあった子機に対応する扉の前記通行権限を有する者でないと判定された場合に、当該扉の解錠操作不可となる構成とする。【選択図】図１
2012207419.tif 000002
【特許請求の範囲】
【請求項１】
入退室管理区画の出入口の扉に対応して設けられた子機と、
前記子機に設けられ、前記子機を操作する利用者が、当該子機に対応する前記扉の通行権限を有する者であるか否かを認証する子機認証手段と、
前記子機と通信可能に設けられ、前記子機からの呼び出しに応じ、当該呼び出しのあった前記子機に対応する前記扉を解錠するための解錠操作手段を有する親機と、
前記親機に設けられ、前記親機を操作する応対者が、前記呼び出しのあった前記子機に対応する前記扉の前記通行権限を有する者であるか否かを認証する親機認証手段と、を備え、
前記解錠操作手段は、前記親機認証手段により前記応対者が前記呼び出しのあった前記子機に対応する前記扉の前記通行権限を有する者でないと判定された場合に、当該扉の解錠操作不可となることを特徴とする入退室管理システム。
【発明の詳細な説明】
【技術分野】
【０００１】
この発明は、入退室管理システムに関するものである。
【背景技術】
【０００２】
従来における入退室管理システムにおいては、セキュリティを確保するために部屋の出入口の扉の施解錠を当該部屋の内側に配置された親機から遠隔制御し、カードリーダを有する子機と親機との間で、カメラ・モニタ及びマイク・スピーカを用いた動画像付通話によって入室希望訪問者を応対者が確認し遠隔解錠制御を行う入退室管理システムであって、親機に予め当該親機の操作許可者を登録しておき、子機から親機が呼び出された際に親機を操作する応対者が当該親機の操作許可者であるか否かの個人識別を行って、この個人識別に成功した場合のみ当該親機の操作を可能とするものが知られている（例えば、特許文献１参照）。
【先行技術文献】
【特許文献】
【０００３】
【特許文献１】特開２００８−１０６５７２号公報
【発明の概要】
【発明が解決しようとする課題】
【０００４】
このように、特許文献１に示された従来における入退室管理システムは、応対者が親機に操作許可者として登録されていれば、この親機と通話可能な子機が設置された扉を解錠することができるものである。しかしながら、このような従来における入退室管理システムには、応対者が親機の操作許可者として登録さえされていれば、当該親機から解錠操作可能な全ての扉を、当該応対者自身がその扉を通過（解錠）する権限を有しているか否かに関わらず、親機からの操作により解錠することができてしまうため、セキュリティ性が低下してしまう恐れがあるという課題がある。
【０００５】
この発明は、このような課題を解決するためになされたもので、子機からの呼び出しに応じて親機での操作によって扉の解錠が可能な入退室管理システムにおいて、セキュリティ性を向上させることができる入退室管理システムを得るものである。
【課題を解決するための手段】
【０００６】
この発明に係る入退室管理システムにおいては、入退室管理区画の出入口の扉に対応して設けられた子機と、前記子機に設けられ、前記子機を操作する利用者が、当該子機に対応する前記扉の通行権限を有する者であるか否かを認証する子機認証手段と、前記子機と通信可能に設けられ、前記子機からの呼び出しに応じ、当該呼び出しのあった前記子機に対応する前記扉を解錠するための解錠操作手段を有する親機と、前記親機に設けられ、前記親機を操作する応対者が、前記呼び出しのあった前記子機に対応する前記扉の前記通行権限を有する者であるか否かを認証する親機認証手段と、を備え、前記解錠操作手段は、前記親機認証手段により前記応対者が前記呼び出しのあった前記子機に対応する前記扉の前記通行権限を有する者でないと判定された場合に、当該扉の解錠操作不可となる構成とする。
【発明の効果】
【０００７】
この発明は、子機からの呼び出しに応じて親機での操作によって扉の解錠が可能な入退室管理システムにおいて、セキュリティ性を向上させることができるという効果を奏する。
【図面の簡単な説明】
【０００８】
【図１】この発明の実施の形態１に係る入退室管理システムの全体構成を示すブロック図である。
【図２】この発明の実施の形態１に係る入退室管理システムの動作を示すフロー図である。
【発明を実施するための形態】
【０００９】
実施の形態１．
図１及び図２は、この発明の実施の形態１に係るもので、図１は入退室管理システムの全体構成を示すブロック図、図２は入退室管理システムの動作を示すフロー図である。
図１において、１は、入退室管理がなされた区画（以下「入退室管理区画」という）の出入口に設けられた図示しない扉を、電気的な信号に基づいて施解錠する電気錠である。扉の近傍には、この扉に対応して設けられた子機２が設置されている。電気錠１及び子機２には、電気錠１に対して施解錠信号を出力してこの電気錠１の施解錠を制制するコントローラ３が接続されている。
【００１０】
子機２は、入退室管理区画の外側に設置される。これに対し、入退室管理区画の内側（あるいは、当該入退室管理システムが設置された施設の管理や警備を行う事務所等）には、子機２からの呼び出しに対応するための親機４が設けられている。この親機４は、構内ＬＡＮ（Ｌｏｃａｌ  Ａｒｅａ  Ｎｅｔｗｏｒｋ）等により構成された通信ネットワーク５を介して、コントローラ３と通信可能に接続されている。そして、前述したようにコントローラ３と子機２とは接続されているため、このコントローラ３を介して親機４と子機２とは通信可能に接続されている。こうして、親機４及び子機２は通話可能なインターホンを構成している。
【００１１】
扉を通過して入退室管理区画に入室しようとする利用者には、ＩＤカードを携行している者と、ＩＤカードを携行していない者の２通りがある。ＩＤカードには、このＩＤカードを所持する利用者を一意に識別する認証情報が予め記憶されている。
【００１２】
ＩＤカードを所持している利用者は、扉を通過して入退室管理区画に入室しようとする際に、通過しようとする扉に対応した子機２において自身が所持するＩＤカードを用いた個人認証操作を行う。そして、このＩＤカードによる個人認証に成功した場合に当該扉の電気錠１が解錠される。
【００１３】
一方、ＩＤカードを所持していない利用者は、扉を通過して入退室管理区画に入室しようとする際に、通過しようとする扉に対応した子機２を操作して親機４と通話し、親機４から当該扉の電気錠１を解錠してもらう必要がある。
【００１４】
そこで、子機２には、親機４との通話機能を実現するため、この子機２の操作者が発した音声の入力を受け付ける子機マイク２ａ、この子機２の操作者に対して音声を報知する子機スピーカ２ｂ及びこの子機２の操作者を撮影するカメラ２ｃが設けられている。また、子機２におけるＩＤカード認証機能を実現するため、子機２には、子機２の操作者が所持するＩＤカードに記憶された認証情報を読み取る子機カードリーダ２ｄも備えられている。
【００１５】
ＩＤカードを所持している利用者は、扉を通過して入退室管理区画に入室しようとする際に、通過しようとする扉に対応した子機２の子機カードリーダ２ｄに対して、自身が所持するＩＤカードをかざす。すると、子機カードリーダ２ｄは、かざされたＩＤカードに記憶された認証情報を読み取る。この子機カードリーダ２ｄにより読み取られた認証情報はコントローラ３へと送られる。そして、コントローラ３において、読み取られた認証情報に基づいて、当該認証情報の持ち主である利用者が当該扉の通行権限がある者として登録されているか否かを確認することにより個人認証を行う。
【００１６】
この個人認証に成功した場合（当該扉の通行権限がある者として読み取られた認証情報が登録されている場合）、コントローラ３は電気錠１を解錠し、利用者は扉を開いて通過することが可能となる。一方、個人認証に失敗した場合（当該扉の通行権限がある者として読み取られた認証情報が登録されていない場合）、コントローラ３は電気錠１が施錠された状態を維持し、利用者の通過が阻止される。
【００１７】
親機４には、子機２との通話機能及び扉の電気錠１の解錠操作機能を実現するため、親機４を操作する応対者の音声の入力を受け付ける親機マイク４ａ、親機４を操作する応対者に対して音声を報知する親機スピーカ４ｂ及び親機４を操作する応対者に対して動画像を含む画像を表示する液晶表示機４ｃが設けられている。この液晶表示機４ｃはタッチパネル式であって、電気錠１の解錠操作を行うための解錠ボタンを含む各種の操作インターフェイスを構成することができる。なお、この液晶表示機４ｃは、ＬＣＤ（液晶ディスプレイ）ではなくＣＲＴを用いてもよい。
【００１８】
子機２には、親機４を呼び出すための図示しない呼び出しボタンが設けられている。入退室管理区画内に複数の部屋があり、これら複数の部屋毎に親機４が設けられている場合には、子機２の呼び出しボタンは、例えばテンキー方式等によって、これら複数の親機４のうちのどの親機４との通話を望むのかを指定できるようになっている。
【００１９】
親機４には、親機４を操作しようとする応対者が所持するＩＤカードに記憶された認証情報を読み取る親機カードリーダ４ｄが設けられている。親機４を操作しようとする応対者は、親機４の親機カードリーダ４ｄに対して、自身が所持するＩＤカードをかざす。すると、親機カードリーダ４ｄは、かざされたＩＤカードに記憶された認証情報を読み取る。そして、この親機カードリーダ４ｄにより読み取られた認証情報が、本入退室管理システムの利用者として登録されているものでないと、親機４の操作を行うことができないようになっている。
【００２０】
また、さらに、本入退管理システムの親機４においては、親機４での操作により扉の電気錠１を解錠する際には、親機４において当該操作を行う応対者がその扉の通行権限を有しているか否かの認証が行われる。すなわち、親機カードリーダ４ｄにより読み取られた認証情報に基づいて、当該認証情報の持ち主である応対者が、現在通話している（呼び出しのあった）子機２に対応する扉の通行権限がある者として登録されているか否かを確認することによる個人認証が行われる。そして、親機４を操作している応対者が当該扉の通行権限がある者として登録されている場合のみ、親機４での操作により当該扉の電気錠１を解錠することが可能となる。
【００２１】
図２のフロー図は、本入退室管理システムにおいて、ＩＤカードを所持していない利用者が扉を通過して入退室管理区画に入室しようとする際の運用動作を示すものである。
まず、ステップＳ１において、扉を通過して入退室管理区画に入室しようとする、ＩＤカードを所持していない利用者は、子機２に設けられた自身が望む行先の部屋の呼び出しボタンを押す。すると、ステップＳ２において、呼び出し対象の親機４の親機スピーカ４ｂから呼び出し音が鳴動され、当該親機４の液晶表示機４ｃには、呼び出しボタンが操作された子機２のカメラ２ｃにより撮影された映像（動画像）及び所定の呼び出しメッセージが表示される。
【００２２】
この親機４の呼び出し動作に気付いた入退室管理区画内の応対者は、ステップＳ３において、自身が所持するＩＤカードを親機カードリーダ４ｄにかざす。すると、ステップＳ４において、親機カードリーダ４ｄは、かざされたＩＤカードの認証情報を読み取る。
【００２３】
そして、続くステップＳ５において、ステップＳ４で読み取られた認証情報に基づいて、当該認証情報の応対者が、本入退室管理システムの利用者として登録されているか否かについて確認される。読み取られた認証情報の応対者が本入退室管理システムの利用者として登録されていなかった場合には、ステップＳ２に戻り親機４は呼び出し動作を継続し、当該応対者は応対することができない。
【００２４】
一方、ステップＳ５において、読み取られた認証情報の応対者が本入退室管理システムの利用者として登録されていた場合には、ステップＳ６へと進む。このステップＳ６においては、ステップＳ４で読み取られた認証情報に基づいて、当該認証情報の応対者が、呼び出しのあった子機２に対応する扉の通行権限がある者として登録されているか否かについて確認される。読み取られた認証情報の応対者が、呼び出しのあった子機２に対応する扉の通行権限を現在有している者として登録されている場合には、ステップＳ７へと進む。
【００２５】
ステップＳ７においては、親機４の液晶表示機４ｃに呼び出しのあった子機２のカメラ２ｃにより撮影された映像（動画像）が表示され、子機マイク２ａ・子機スピーカ２ｂ及び親機マイク４ａ・親機スピーカ４ｂを使用した通話が開始される。また、ここで併せて、当該親機４の液晶表示機４ｃに、当該子機２に対応する扉の電気錠１を解錠するための解錠ボタンが表示される。この時点から応対者は、この液晶表示機４ｃの解錠ボタンを操作することにより、当該扉の電気錠１を解錠することができる。
【００２６】
従って、応対者は、ステップＳ８において、液晶表示機４ｃに表示されたカメラ２ｃの映像を確認しながら、親機４でもって子機２の利用者と通話した後、この利用者に入退室管理区画への入室を許可する場合には、液晶表示機４ｃに表示された解錠ボタンを押下する（ステップＳ９）。すると、ステップＳ１０において、扉の電気錠１が解錠され、一連の動作は終了する。
【００２７】
一方、ステップＳ６において、ステップＳ４で読み取られた認証情報の応対者が、呼び出しのあった子機２に対応する扉の通行権限がある者として登録されてない場合には、ステップＳ１１へと進む。このステップＳ１１においては、親機４の液晶表示機４ｃに呼び出しのあった子機２のカメラ２ｃにより撮影された映像（動画像）が表示され、子機マイク２ａ・子機スピーカ２ｂ及び親機マイク４ａ・親機スピーカ４ｂを使用した通話が開始されるが、当該親機４の液晶表示機４ｃに解錠ボタンは表示されない。従って、応対者は当該子機２に対応した扉の電気錠１を解錠することができないこととなる。
【００２８】
そのため、応対者は、液晶表示機４ｃに表示されたカメラ２ｃの映像を確認しながら、親機４でもって子機２の利用者と通話して（ステップＳ１２）、この利用者に当該扉の電気錠１を解錠することができない旨を伝えて（ステップＳ１３）、通話を切断することになる。このステップＳ１３をもって一連の動作は終了する。
【００２９】
なお、ここでは、親機４の液晶表示機４ｃをタッチパネルとし、この液晶表示機４ｃに解錠ボタンを設ける（表示する）ようにした。しかし、解錠ボタンの実装方法はこの方法のみに限られるものではなく、例えば、親機４に押しボタンを設けるようにしてもよい。そして、この場合には、親機４において解錠操作が可能であるか否かを液晶表示機４ｃに表示するようにしたり、押しボタンの近傍や押しボタン自体に解錠操作が可能であることを示す発光ダイオード等を設けるようにすればよい。
【００３０】
また、ここでは、ＩＤカードによる認証を用いたが、ＩＤカードによる認証のみならず、指紋、虹彩や静脈パターン等を用いた各種の生体認証等の他の認証方法を用いたり、これら複数の認証方法を組み合わせたものを用いるようにしてもよい。
【００３１】
以上のように構成された入退室管理システムは、入退室管理区画の出入口の扉に対応して設けられた子機と、子機に設けられ、子機を操作する利用者が、当該子機に対応する扉の通行権限を有する者であるか否かを認証する子機認証手段である子機カードリーダと、子機と通信可能に設けられ、子機からの呼び出しに応じ、当該呼び出しのあった子機に対応する扉を解錠するための解錠操作手段を有する親機と、親機に設けられ、親機を操作する応対者が、呼び出しのあった子機に対応する扉の前記通行権限を有する者であるか否かを認証する親機認証手段である親機カードリーダと、を備え、解錠操作手段は、親機認証手段により応対者が呼び出しのあった子機に対応する扉の前記通行権限を有する者でないと判定された場合に、当該扉の解錠操作不可となるものである。
【００３２】
従って、子機からの呼び出しに応じて親機を操作する応対者が、当該呼び出しのあった子機に対応する扉の前記通行権限を有する者でなかった場合、この親機からは当該扉を解錠することができないため、セキュリティ性を向上させることができる。
【符号の説明】
【００３３】
１    電気錠
２    子機
２ａ  子機マイク
２ｂ  子機スピーカ
２ｃ  カメラ
２ｄ  子機カードリーダ
３    コントローラ
４    親機
４ａ  親機マイク
４ｂ  親機スピーカ
４ｃ  液晶表示機
４ｄ  親機カードリーダ
５    通信ネットワーク
【図１】
2012207419.tif 000003
【図２】
2012207419.tif 000004